(57)【特許請求の範囲】
【請求項１】
商品を識別するための商品識別情報を読み取る読取部と、
前記読取部に前記商品識別情報を読み取らせた複数の顧客のそれぞれを撮像する撮像部と、
前記複数の顧客のそれぞれが購入する商品の商品情報を記憶する記憶部と、
前記商品情報を出力する出力部と、
顧客の操作による入力を受け付ける入力部と、
前記読取部、前記撮像部、前記記憶部、前記出力部、及び前記入力部を制御する制御部と、
前記商品の精算金額を算出する算出部と、
を備え、
前記制御部は、
前記読取部からの前記商品識別情報に基づいて前記商品情報を取得するとともに、前記撮像部からの撮像画像に基づいて前記複数の顧客のそれぞれを識別して、前記商品情報と前記顧客とを関連付けて前記記憶部に商品登録情報として記憶し、
前記顧客と前記商品情報とを関連付けて前記出力部に出力し、
前記入力部は、
前記商品識別情報を読み取られた全ての前記商品の合計金額に対する精算において、精算方法の選択を前記顧客から受け付け、
前記精算方法は、前記合計金額に対する一括精算及び顧客ごとの精算金額に基づく個別精算を含む複数の精算方法から選択され、
前記制御部は、前記選択された精算方法に応じた精算金額を前記出力部に出力する、
商品登録装置。
【請求項２】
前記制御部は、前記複数の顧客の顔画像に基づいて前記複数の顧客のそれぞれを識別する、
請求項１に記載の商品登録装置。
【請求項３】
前記精算方法は、
前記合計金額に対する精算のうち一部を前記個別精算とし、
前記合計金額から前記一部を除いた残額に対する精算を、前記残額に対する一括精算、又は前記残額に対する均等割り精算とすることを含む
請求項１又は２に記載の商品登録装置。
【請求項４】
前記制御部は、前記出力部に、前記顧客ごとに前記商品の精算金額を表示させる、
請求項１から３のいずれか一項に記載の商品登録装置。
【請求項５】
ＰＯＳ端末と通信可能な通信部をさらに備え、
前記制御部は、前記通信部を介して、前記記憶部に記憶された前記商品登録情報を、前記ＰＯＳ端末に送信する、
請求項１から４のいずれか一項に記載の商品登録装置。
【請求項６】
請求項１から５のいずれか一項に記載の商品登録装置と、
前記商品登録装置と通信可能なＰＯＳ端末と、
を備えた精算システム。
【請求項７】
商品を識別するための商品識別情報を読み取るステップと、
前記商品識別情報を読み取らせた複数の顧客のそれぞれを撮像するステップと、
前記商品識別情報に基づいて商品情報を取得するとともに、撮像画像に基づいて前記複数の顧客のそれぞれを識別して、前記商品情報と前記顧客とを関連付けて記憶するステップと、
顧客の操作による入力を受け付けるステップと、
前記商品の精算金額を算出するステップと、
前記商品情報と前記顧客とを関連付けて出力するステップと、
を備え、
前記入力を受け付けるステップでは、
前記商品識別情報を読み取られた全ての前記商品の合計金額に対する精算において、精算方法の選択を前記顧客から受け付け、
前記精算方法は、前記合計金額に対する一括精算及び顧客ごとの精算金額に基づく個別精算を含む複数の精算方法から選択され、
前記出力するステップでは、前記選択された精算方法に応じた精算金額が出力される、
精算方法。
【請求項８】
商品を識別するための商品識別情報を読み取るステップと、
前記商品識別情報を読み取らせた複数の顧客のそれぞれを撮像するステップと、
前記商品識別情報に基づいて商品情報を取得するとともに、撮像画像に基づいて前記複数の顧客のそれぞれを識別して、前記商品情報と前記顧客とを関連付けて記憶するステップと、
顧客の操作による入力を受け付けるステップと、
前記商品の精算金額を算出するステップと、
前記商品情報と前記顧客とを関連付けて出力するステップを
コンピュータに実行させ、
前記入力を受け付けるステップでは、
前記商品識別情報を読み取られた全ての前記商品の合計金額に対する精算において、精算方法の選択を前記顧客から受け付け、
前記精算方法は、前記合計金額に対する一括精算及び顧客ごとの精算金額に基づく個別精算を含む複数の精算方法から選択され、
前記出力するステップでは、前記選択された精算方法に応じた精算金額が出力される、
精算プログラム。
【発明の詳細な説明】
【技術分野】
【０００１】
本発明は商品登録装置、精算システム、精算方法及び精算プログラムに関する。
【背景技術】
【０００２】
従来、スーパーやショッピングセンターで買い物をする際、顧客は購入したい商品を買い物カゴやショッピングカートに入れ、精算のためにそれらをレジまで持ち運ぶ必要があった。そのため顧客はレジで初めて商品の合計金額を知ることができ、買い物の途中では知ることはできなかった。
【０００３】
特許文献１には、買い物の途中であってもショッピングカート内のカゴに入れた商品の合計金額を知ることができ、またレジへ行くことなく、顧客自身が商品の精算を行うことができるセルフ精算用ショッピングカートに関する技術が開示されている。
【先行技術文献】
【特許文献】
【０００４】
【特許文献１】特開２００１−３４４６６０号公報
【発明の概要】
【発明が解決しようとする課題】
【０００５】
このようなショッピングカートは、カート内の全ての商品及びその合計金額を知ることはできるが、複数人で１つのカートを使用した場合に、各人が選んだ商品及びその金額を個人別に知ることはできない。
家族や友人同士等、複数人のグループで１つのカートを利用することは一般的によく見られるが、このような場合は下記のような対応が必要となる。
【０００６】
例えばアパレルの店舗を友人同士で訪れるような場合には、各人が所望の商品をカートに入れていき、レジでは代表者が一括で精算を済ませる。後にレシートを見ながら、個人別の精算金額を算出し、精算を行う必要がある。
【０００７】
また、例えば複数人でバーベキューの食材を購入するような場合には、やはりレジでは代表者が一括で精算を済ませ、後に合計金額を人数で均等割りにし、各人が精算を行う。しかし、商品の中には、均等割を行ってよいものと、例えば個人で楽しむために購入したたばこやお酒等、均等割りの対象から除外すべきものとが混在することがある。このような場合にも、レシートを見ながら各人の精算金額を算出する必要がある。
【０００８】
上述のように、特許文献１に開示された技術では、複数の顧客が１つのショッピングカートを共同で使用した場合に、顧客ごとの精算金額を知るためには別途計算を行わなければならないという問題があった。
本発明はこのような課題を解決するためになされたものであり、複数の顧客が１つのショッピングカートを共同で使用した場合であっても、顧客ごとの精算金額を知ることができる商品登録装置、精算システム、精算方法及び精算プログラムを提供することを目的とする。
【課題を解決するための手段】
【０００９】
本発明にかかる商品登録装置は、商品を識別するための商品識別情報を読み取る読取部と、前記読取部に前記商品識別情報を読み取らせた顧客を撮像する撮像部と、顧客が購入する商品の商品情報を記憶する記憶部と、前記商品情報を出力する出力部と、顧客の操作による入力を受け付ける入力部と、前記読取部、前記撮像部、前記記憶部、前記出力部、及び前記入力部を制御する制御部とを備え、前記制御部は、前記読取部からの前記商品識別情報に基づいて前記商品情報を取得するとともに、前記撮像部からの撮像画像に基づいて前記顧客を識別して、前記商品情報と前記顧客とを関連付けて前記記憶部に商品登録情報として記憶し、前記顧客と前記商品情報とを関連付けて前記出力部に出力するものである。
【００１０】
本発明にかかる精算システムは上記の商品登録装置と、前記商品登録装置と通信可能なＰＯＳ端末と、を備えたものである。
【００１１】
本発明にかかる精算方法は、商品を識別するための商品識別情報を読み取るステップと、前記商品識別情報を読み取らせた顧客を撮像するステップと、前記商品識別情報に基づいて商品情報を取得するとともに、撮像画像に基づいて前記顧客を識別して、前記商品情報と前記顧客とを関連付けて記憶するステップと、前記商品情報と前記顧客とを関連付けて出力するステップと、を備えたものである。
【００１２】
本発明にかかる精算プログラムは、商品を識別するための商品識別情報を読み取るステップと、前記商品識別情報を読み取らせた顧客を撮像するステップと、前記商品識別情報に基づいて商品情報を取得するとともに、撮像画像に基づいて前記顧客を識別して、前記商品情報と前記顧客とを関連付けて記憶するステップと、前記商品情報と前記顧客とを関連付けて出力するステップをコンピュータに実行させるものである。
【発明の効果】
【００１３】
本発明により、複数の顧客が１つのショッピングカートを共同で使用した場合であっても、顧客ごとの精算金額を知ることができる商品登録装置、精算システム、精算方法及び精算プログラムを提供することを目的とする。
【図面の簡単な説明】
【００１４】
【図１】実施の形態１にかかる商品登録装置の構成を示すブロック図である。
【図２】実施の形態２にかかる商品登録装置を含むショッピングカートの構成を示す図である。
【図３】実施の形態２にかかる商品登録装置の説明図である。
【図４】実施の形態２にかかる商品登録装置の説明図である。
【図５】実施の形態２にかかる商品登録装置の表示例を示す図である。
【図６】実施の形態２にかかる商品登録装置の表示例を示す図である。
【図７】実施の形態２にかかる商品登録装置の表示例を示す図である。
【図８】実施の形態２にかかる商品登録装置の表示例を示す図である。
【図９】実施の形態２にかかる商品登録装置の表示例を示す図である。
【図１０】実施の形態２にかかる商品登録装置の処理を示すフローチャートである。
【図１１】実施の形態２にかかる商品登録装置の処理を示すフローチャートである。
【図１２】実施の形態２にかかるＰＯＳ端末の処理を示すフローチャートである。
【図１３】実施の形態２にかかるＰＯＳ端末の処理を示すフローチャートである。
【図１４】実施の形態２にかかる精算システムの構成を示すブロック図である。
【図１５】実施の形態３にかかる精算システムの構成を示すブロック図である。
【図１６】実施の形態３にかかる商品登録装置のハードウェア構成例を示す図である。
【発明を実施するための形態】
【００１５】
＜実施の形態１＞
以下、図１を参照して本発明の実施の形態１にかかる商品登録装置について説明する。当該商品登録装置１は、複数の顧客が１つのショッピングカートを共同で使用した場合であっても、顧客ごとの精算金額を知ることができる商品登録装置である。
【００１６】
ショッピングカートに備えられ、顧客が購入する商品を登録する装置である商品登録装置１は、読取部２と、撮像部３と、記憶部４と、出力部５と、入力部６と、通信部１１１と、制御部１１２とを備えている。読取部２は、商品を識別するための商品識別情報を読み取る。撮像部３は、読取部２に商品識別情報を読み取らせた顧客を撮像する。記憶部４には、撮像部３の撮像画像に基づいて読取部２に商品識別情報を読み取らせた顧客の情報と、商品識別情報に対応する商品情報（商品名や単価等）とが関連付けられて記憶される。出力部５は、商品と顧客とを関連付けて出力する。入力部６は、顧客の入力を受け付ける。通信部１１１は、他の装置（例えばＰＯＳ（Point Of Sales）端末）と無線通信を行う。制御部１１２は、各部と接続されており、これらの制御を行う。
【００１７】
本実施の形態にかかる商品登録装置によれば、読取部２に、商品の商品識別情報を読み取らせた顧客と、その商品識別情報に対応する商品情報とを関連付けて記憶するので、複数の顧客が１つのショッピングカートを共同で使用した場合であっても、顧客ごとの精算金額を知ることができる。
【００１８】
＜実施の形態２＞
図２を用いて、本実施の形態にかかる商品登録装置を説明する。図２は本実施の形態にかかる商品登録装置１を含むショッピングカート１０の構成を示す概要図である。
図２に示すように、ショッピングカート１０は、商品登録装置１、及びカゴ１１を備えている。実施の形態１において説明したように、商品登録装置１は、読取部２と、撮像部３と、記憶部４と、出力部５と、入力部６と、通信部１１１と、制御部１１２とを備えている。
【００１９】
発明の実施の形態１において説明したように、読取部２は、商品を識別するための商品識別情報の読み取りを行う。商品識別情報とは、例えばバーコード、ＱＲコード（登録商標）、商品番号等である。読取部２は、例えば商品のバーコードの読み取りを行うバーコードリーダーである。
【００２０】
撮像部３は、顧客が読取部２に商品の商品識別情報を読み取らせた際に、顧客の顔を撮像する。撮像部３は例えばデジタルカメラで構成される。撮像対象は顔以外に顧客の上半身、全身、腕時計、アクセサリ等、顧客を識別可能な部位であればどの部位でもよい。撮像部３はこれらが撮像できる適切な位置に設けられていればよい。撮像部３は、読取部２と同期して動作してもよい。例えば、読取部２が商品識別情報を読み取ったタイミングで、撮像部３が顧客を撮像してもよい。
【００２１】
記憶部４には、制御部１１２によって、読取部２に、購入する商品の商品識別情報を読み取らせた顧客の画像と、読み取られた商品識別情報に対応する商品情報（商品名や単価等）とが関連付けられて記憶される。商品識別情報に対応する商品情報は、制御部１１２が、記憶部４に記憶されているＰＬＵ（Price Look Up）テーブルを参照して取得する。制御部１１２が、他の装置（例えばＰＯＳ端末）に商品識別情報を送信して、他の装置から取得するようにしてもよい。制御部１１２は、顔認証機能等を用いて、撮像部３によって撮像された画像を顧客ごとに識別することができる。これにより、制御部１１２は、読取部２で読み取られた商品識別情報に対応する商品情報を、読み取り操作を行った顧客の画像情報と紐づけて、記憶部４に記憶することができる。
【００２２】
出力部５と入力部６は、本実施の形態においては、タッチパネル付きディスプレイによって構成される。制御部１１２は、記憶部４に記憶された情報を、出力部５に、商品情報と顧客とを関連付けて出力させる。出力する情報は、文字と数字のみでもよいし、撮像部３により撮像した顧客の画像を含んでもよい。入力部６は、顧客が商品の数量変更、キャンセル等の操作をする際に入力を受け付ける。出力部５は、レシートの発行が可能なプリンタでもよい。また、出力部５は、音声出力の機能を有していてもよい。
【００２３】
出力部５は、顧客により商品の識別情報が読み取られる都度、出力してもよいし、顧客が希望する任意のタイミングで出力をしてもよい。また一定時間が経過した場合に出力してもよい。
【００２４】
通信部１１１は、無線により、店舗内のＰＯＳ端末１２０やサーバ１３０と通信可能である。
【００２５】
カゴ１１は、顧客が購入予定の商品を精算まで入れておく箱であり、ショッピングカート１０に載置されている。カゴ１１は、ショッピングカート１０に１つ載置されてもよいし、複数載置されてもよい。
【００２６】
図３及び図４を用いて、顧客Ａ、Ｂが１つのショッピングカート１０を共同で使用して買い物をする際の商品登録装置１の動作について説明する。商品には商品識別情報を含むバーコードが付されており、読取部２、撮像部３、記憶部４、出力部５、入力部６、通信部１１１、制御部１１２を有する商品登録装置１及びカゴ１１はショッピングカート１０に設置されているものとする。また、出力部５及び入力部６としてタッチパネル付きディスプレイを用いており、必要に応じて顧客Ａ、Ｂが商品登録装置１の操作を行うものとする。
【００２７】
初めに、図３に示すように、顧客Ａが購入を希望する商品イ及びロをカゴ１１に入れる。この際、顧客Ａは読取部２に、商品イ、ロに付されたバーコードをそれぞれ読み取らせる。バーコードの読み取りと同時に、撮像部３は顧客Ａの顔画像を撮像する。制御部１１２は、記憶部４に、顧客Ａの顔画像と商品イ、ロの商品情報とをそれぞれ関連付けて記憶する。これにより顧客Ａによる商品イ、ロの登録が完了する。
【００２８】
出力部５には、読み取りが行われた商品イ、ロの商品名、単価、個数等の商品情報と共に、商品登録を行った顧客Ａが商品情報と対応付けられて表示される。また出力部５には、カゴ１１に入っている商品イ、ロの合計金額も表示される。
【００２９】
続いて、図４に示すように、顧客Ｂが購入を希望する２つの商品ハをカゴ１１に入れる。顧客Ｂも顧客Ａと同様に、読取部２に商品ハに付されたバーコードを読み取らせる。その際、撮像部３が顧客Ｂの顔を撮像する。制御部１１２は、記憶部４に、顧客Ｂの顔画像と商品ハの商品情報とを関連付けて記憶する。これにより顧客Ｂによる商品ハの登録が完了する。
【００３０】
図４に示すように、出力部５には、既に顧客Ａが商品登録した商品イ、ロの商品情報に加えて、顧客Ｂが商品登録した商品ハの商品情報が、顧客Ｂと対応付けられて表示される。また出力部５には、カゴ１１に入っている商品イ、ロ及びハの合計金額も表示される。出力部５に、顧客Ａと顧客Ｂの画像が、それぞれの商品情報と対応付けられて表示されるようにしてもよい。
【００３１】
出力部５には、顧客の所望のタイミングにおいて、図５及び図６に示すように、顧客Ａ、Ｂの個別の精算金額を切り替えて表示することができる。従って、顧客Ａ、Ｂは、買い物の途中であっても、自身が精算すべき精算金額を容易に把握することができる。
【００３２】
出力部５における表示の方法としては、図７から図９に示すように、全体の精算金額一覧と、個人別の精算金額一覧とを、タブにより切り替え表示するものが有効である。顧客Ａ、Ｂの顔画像と、それぞれが登録した商品とが対応するよう並べて表示したり、顧客によって色分けを行ったりすることで、顧客Ａ、Ｂはそれぞれの商品登録状況をより把握しやすくなる。
【００３３】
続いて、図１０及び図１１に示すフローチャートを用いて、商品登録装置１の制御部１１２が実行する処理について説明する。
【００３４】
初めに、顧客Ａは商品イのバーコードを読取部２に読み取らせる（ステップＳ１１）。撮像部３は顧客Ａの顔部分を撮像する（ステップＳ１２）。
制御部１１２は、撮像した顔画像から顧客Ａを識別し、顧客Ａの画像が過去に登録されているか否かを判定する（ステップＳ１３）。顧客Ａが初めて商品を読み取らせた場合（ステップＳ１３のＮｏ）、制御部１１２は顧客Ａを新規登録する（ステップＳ１４）。顧客Ａによる商品の読み取りが２回目以降である場合（ステップＳ１３のＹｅｓ）は、顧客Ａが登録済みであるため、次の処理に進む。
制御部１１２は、バーコードを読み取った商品イの商品情報と、撮像した顧客Ａの画像に紐づけて記憶する（ステップＳ１５）。これにより、顧客Ａによる商品イの登録が完了する。
【００３５】
制御部１１２は、顧客Ａ、Ｂが次に行う処理を判定する（ステップＳ１６）。制御部１１２は、顧客Ａ、Ｂが、購入を希望する全ての商品について登録を終了するまで、上記手順を繰り返す（ステップＳ１６の続行）。制御部１１２は、記憶部４に、顧客Ａ、Ｂの顔画像と、それぞれが購入しようとする商品の商品情報とを紐づけて、商品登録情報として記憶していく。
【００３６】
顧客Ａ、Ｂは、買い物の途中において、登録した商品の一覧を出力部５に表示することができる（ステップＳ１６の画面切替）。制御部１１２は、表示する内容を出力部５上の操作により顧客Ａ、Ｂに選択させる（ステップＳ１７）。
【００３７】
全ての商品の一覧表示が選択された場合（ステップＳ１７の一覧表示）、顧客Ａ、Ｂにより登録された全ての商品の商品情報を一覧で表示し（ステップＳ１８）、顧客Ａ、Ｂのいずれかの個別表示が選択された場合（ステップＳ１７の個別表示）、顧客Ａ、Ｂのいずれかが登録した商品の商品情報のみの一覧を表示する（ステップＳ１９）。
【００３８】
例えば、顧客Ａ、Ｂがタッチパネル等を操作して精算すべき精算金額の個別表示、一覧表示を選択することができる。出力部５には選択結果に基づいて、精算金額等が表示される。表示方法については、既に示した図５から図９のような例が考えられる。なお、出力部５において、顧客Ａ、Ｂの操作によらず、商品の登録時や一定時間が経過した際に、自動で画面切り替えを行ってもよい。
【００３９】
顧客Ａ、Ｂは、購入を希望する全ての商品について商品登録を済ませた後、精算手続に進む。精算する旨の入力がなされると（ステップＳ１６の精算）、制御部１１２は、ＰＯＳ端末１２０に商品登録情報を送信する（ステップＳ２０）。本実施の形態においては、精算は、図１４に示す精算システム１００のＰＯＳ端末１２０で行う。精算システム１００については、後述する。精算の方法は、２種類ある。第１の精算方法は、一括精算、均等割精算、及び個別精算のいずれか１つを選択する方法である。第２の精算方法は、一括精算、均等割精算、及び個別精算が混在する方法である。
【００４０】
まず、図１２に示すフローチャートを用いて、ＰＯＳ端末１２０の制御部１２２が実行する、第１の精算方法である精算処理について説明する。
【００４１】
ＰＯＳ端末１２０の制御部１２２は、どのような方法で精算を行うかを、顧客表示部上に選択肢（一括精算、均等割精算、個別精算）を表示し、顧客Ａ、Ｂの選択を受け付ける（ステップＳ２１）。顧客表示部は、タッチパネル付きディスプレイによって構成されており、出力部１２３でもあり、入力部１２５でもある。
顧客Ａ、Ｂが一括精算を選択した場合（ステップＳ２１の一括）、登録した全ての商品について顧客Ａ、Ｂのいずれかが一括で精算を行ってレシートを発行（ステップＳ２２）し、精算処理は終了する。
【００４２】
顧客Ａ、Ｂが個別精算を選択した場合（ステップＳ２１の個別）、初めに精算を行う顧客を指定し（ステップＳ２３）、指定した顧客が商品登録した分の商品についてのみ、精算を行う（ステップＳ２４）。なお、顧客の指定の際には、顧客Ａ、Ｂの画像を表示する。
【００４３】
次に、制御部１２２は、個別精算が顧客全員について完了しているか否かを判定する（ステップＳ２５）。例えば先に顧客Ａが個別精算を行い、顧客Ｂの精算が済んでいない場合（ステップＳ２５のＮｏ）、続いて顧客Ｂの精算を行う。顧客Ｂの精算が済むとレシートを発行（ステップＳ２５のＹｅｓ）し、精算処理は終了する。
【００４４】
また、顧客Ａ、Ｂが均等割り精算を選択した場合（ステップＳ２１の均等割）、制御部１２２は、商品を登録した顧客全員で均等割りを行うのか、顧客の一部のみで均等割りを行うのかを、顧客表示部上の操作により顧客Ａ、Ｂに選択させる（ステップＳ２６）。
例えば顧客が３人いた場合には、３人全員で均等割りにするのか、３人のうち２人のみで均等割りにするのかを選択することができる。均等割りの対象人数の変更が必要な場合（ステップＳ２６のＹｅｓ）、顧客表示部上の操作により均等割りの対象人数を変更する（ステップＳ２７）。変更が不要な場合（ステップＳ２６のＮｏ）、次の処理に進む。
【００４５】
顧客Ａ、Ｂは均等割りによる１人分の金額について、精算を行う（ステップＳ２８）。次に、制御部１２２は、均等割り精算が顧客全員について完了しているか否かを判定する（ステップＳ２９）。例えば先に顧客Ａが均等割りによる１人分の精算を行い、顧客Ｂの精算が済んでいない場合（ステップＳ２９のＮｏ）、続いて顧客Ｂの精算を行う。顧客Ｂの精算が済むとレシートを発行（ステップＳ２９のＹｅｓ）し、精算処理は終了する。
【００４６】
次に、図１３に示すフローチャートを用いて、第２の精算方法である一括精算、個別精算及び均等割り精算が混在する場合の処理について説明する。
【００４７】
まず、制御部１２２は、個別精算を行うか否かを、顧客表示部上の操作により顧客Ａ、Ｂに選択させる（ステップＳ３１）。個別精算を選択した場合（ステップＳ３１のＹｅｓ）は個別精算を行う顧客を選択させ（ステップＳ３２）、その顧客について個別精算を行う（ステップＳ３３）。なお、顧客の選択の際には、顧客Ａ、Ｂの画像を表示する。
【００４８】
次に、制御部１２２は全員の個別精算が完了しているか否かを判定する（ステップＳ３４）。全員の個別精算が完了していれば（ステップＳ３４のＹｅｓ）、残額は存在しないため、精算処理は終了する。
【００４９】
全員の個別精算が完了していない場合（ステップＳ３４のＮｏ）、制御部１２２は、残額についての精算方法を顧客表示部上の操作により顧客Ａ、Ｂに選択させる（ステップＳ３５）。残額についても個別精算を選択した場合（ステップＳ３５の個別）、ステップＳ３２の処理に戻り、以後の処理を実行する。
【００５０】
残額について、いずれかの顧客による一括精算を選択した場合（ステップＳ３５の一括）は一括精算を行い（ステップＳ３６）、顧客の一部又は全員による均等割り精算を選択した場合（ステップＳ３５の均等割）は均等割り精算を行う（ステップＳ３７）。それぞれの精算後、レシートを発行し、精算処理は終了する。
一括精算、個別精算及び均等割り精算の詳細については既に述べた通りである。
【００５１】
なお、ステップＳ３１において個別精算を選択しない場合（ステップＳ３１のＮｏ）はステップＳ３５に進み、一括精算、均等割り精算のいずれかを選択する。
【００５２】
続いて、図１４を用いて精算システム１００について説明する。図１４は、本実施の形態２にかかる商品登録装置１を含む精算システム１００を示すブロック図である。
【００５３】
精算システム１００は、商品登録装置１、ＰＯＳ端末１２０、サーバ１３０、及びデータベース１４０を備える。
商品登録装置１は、前述した通り、ショッピングカート１０に設けられ、通信部１１１、制御部１１２、記憶部４、出力部５、入力部６、読取部２、及び撮像部３を備えている。出力部５と入力部６は、タッチパネル付きディスプレイによって構成される。
通信部１１１は、無線により、通信部１２１、及びサーバ１３０と通信可能である。制御部１１２は、各部と接続されており、これらを制御する機能を有する。
【００５４】
ＰＯＳ端末１２０は通信部１２１、制御部１２２、出力部１２３、精算部１２４、及び入力部１２５を備える。
通信部１２１は、無線により、商品登録装置１と通信可能であり、有線又は無線により、サーバ１３０と通信可能である。
【００５５】
出力部１２３は、顧客ごとの商品登録情報を、商品情報と顧客とを関連付けて出力する。顧客ごとの商品登録情報とは、顧客Ａ、Ｂの顔画像と、それぞれが登録した商品の商品名、単価、個数等の情報や、精算方法の選択により決定したそれぞれの精算金額等、精算に関連する種々の情報が含まれる。出力部１２３は、具体的にはディスプレイやプリンタ等である。入力部１２５は、具体的にはタッチパネルやボタン等であり、店員や顧客の入力を受け付ける。
【００５６】
精算部１２４は、ＰＯＳ端末１２０において、店員が顧客との間で現金、クレジットカード、電子マネー等により商品代金の授受を行うことで精算を行う機能を有する。
制御部１２２は、ＰＯＳ端末１２０に含まれるこれらの機能を制御する。
【００５７】
商品登録装置１の通信部１１１は、記憶部４に記憶された顧客ごとの商品登録情報をＰＯＳ端末１２０へ送信する。ＰＯＳ端末１２０は、顧客ごとの商品登録情報を通信部１２１により受信し、出力部１２３にその内容を表示する。表示は文字と数字のみでもよいし、既に述べたような、顧客Ａ、Ｂの顔画像と商品とを並べたものでもよい。これにより、店員は顧客が選択した精算方法により、精算部１２４を用いて顧客Ａ、Ｂとの間で精算処理を行うことができる。
サーバ１３０は、店舗内に設置された店舗サーバであり、データベース１４０にアクセス可能である。サーバ１３０は、上記の精算内容に関する情報をデータベース１４０に蓄積する。
【００５８】
以上説明したように、本実施の形態にかかる商品登録装置によれば、複数の顧客が１つのショッピングカートを共同で使用した場合であっても、別途の計算を行うことなく、顧客ごとの精算金額を知ることができ、また顧客が選択した方法により精算を行うことができる。
【００５９】
また、本実施形態にかかる精算方法によれば、商品を識別するための商品識別情報を読み取るステップと、前記商品識別情報を読み取らせた顧客を撮像するステップと、撮像画像に基づいて前記顧客を識別して、前記商品と関連付けて記憶するステップと、前記商品と前記顧客とを関連付けて出力するステップと、を備えるので、複数の顧客が１つのショッピングカートを共同で使用した場合であっても、顧客ごとの精算金額を知ることができる。
【００６０】
＜実施の形態３＞
本実施の形態では、顧客Ａ、Ｂがショッピングカート１０において自ら精算を行う処理について、図１５を用いて説明する。
精算システム１０１は、商品登録装置１５０、サーバ１３０、及びデータベース１４０を備える。商品登録装置１５０は、精算部１１３を備える以外は図１４に示す構成と同様であるので、精算部１１３以外については説明を省略する。
【００６１】
精算部１１３は、商品登録装置１５０において顧客Ａ、Ｂ自身が現金、クレジットカード、電子マネー等により商品代金の精算を行う機能を有する。よって、顧客Ａ、Ｂは、商品の登録や精算方法の選択を行った後、レジまで商品を持ち運ぶことなく、商品登録装置１５０を用いて自ら精算を行うことができる。商品登録装置１５０の制御部１１２は、精算処理を実行する。その処理内容は、実施の形態２においてＰＯＳ端末１２０の制御部１２２が実行する精算処理（図１２及び図１３のフローチャート）と同様である。制御部１２２は、精算処理の後、精算結果をサーバ１３０に送信する。
【００６２】
以上説明したように、本実施の形態にかかる商品登録装置によれば、顧客Ａ、Ｂはレジに並ぶことなく、希望する精算方法により、自ら精算を行うことができる。
【００６３】
＜ハードウェアの構成例＞
図１６は、精算処理を実現するためのハードウェア構成例を示すブロック図である。当該ハードウェア構成は、プロセッサ２０１とメモリ２０２を備えている。
【００６４】
プロセッサ２０１は、メモリ２０２からコンピュータプログラム（精算プログラム）を読み出して実行することで、上述の実施形態においてフローチャートを用いて説明された商品登録装置１の処理を行う。ここで、精算プログラムは、商品を識別するための商品識別情報を読み取るステップと、前記商品識別情報を読み取らせた顧客を撮像するステップと、撮像画像に基づいて前記顧客を識別して、前記商品と関連付けて記憶するステップと、前記商品と前記顧客とを関連付けて出力するステップをコンピュータに実行させるものである。
【００６５】
プロセッサ２０１は、例えば、マイクロプロセッサ、MPU（Micro Processing Unit）、又はCPU（Central Processing Unit）であってもよい。プロセッサ２０１は、複数のプロセッサを含んでもよい。
【００６６】
メモリ２０２は、揮発性メモリ及び不揮発性メモリの組み合わせによって構成される。メモリ２０２は、プロセッサ２０１から離れて配置されたストレージを含んでもよい。この場合、プロセッサ２０１は、図示されていないI/Oインタフェースを介してメモリ２０２にアクセスしてもよい。
【００６７】
図１６の例では、メモリ２０２は、ソフトウェアモジュール群を格納するために使用される。プロセッサ２０１は、これらのソフトウェアモジュール群をメモリ２０２から読み出して実行することで、上述の実施形態において説明された商品登録装置１の処理を行うことができる。
【００６８】
プロセッサの各々は、図面を用いて説明されたアルゴリズムをコンピュータに行わせるための命令群を含む１又は複数のプログラムを実行する。このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６９】
なお、本発明は上記実施の形態に限られたものではなく、趣旨を逸脱しない範囲で適宜変更することが可能である。例えば、一度登録した商品をキャンセルする場合には、再度読取部による読み取りを行い、キャンセルする商品と、読み取りを行った顧客とを関連付けて出力する等してもよい。
【符号の説明】
【００７０】
１、１５０  商品登録装置
２  読取部
３  撮像部
４  記憶部
５、１２３  出力部
６、１２５  入力部
１０  ショッピングカート
１１  カゴ
１００、１０１  精算システム
１１１、１２１  通信部
１１２、１２２  制御部
１１３、１２４  精算部
１２０  ＰＯＳ端末
１３０  サーバ
１４０  データベース
２０１  プロセッサ
２０２  メモリ
【要約】
【課題】複数の顧客が１つのショッピングカートを共同で使用した場合であっても、顧客ごとの精算金額を知ることができる商品登録装置、精算システム、精算方法及び精算プログラムを提供すること。
【解決手段】本発明にかかる商品登録装置１は、商品を識別するための商品識別情報を読み取る読取部２と、読取部２に商品識別情報を読み取らせた顧客を撮像する撮像部３と、顧客を識別して、商品識別情報に対応する商品情報と関連付けて記憶部４に記憶し、顧客の操作による入力を入力部６で受け付け、顧客と商品情報とを関連付けて出力部５に出力する制御部１１２と、を備えたものである。
【選択図】図１【図１】
0006870871.tif 000002
【図２】
0006870871.tif 000003
【図３】
0006870871.tif 000004
【図４】
0006870871.tif 000005
【図５】
0006870871.tif 000006
【図６】
0006870871.tif 000007
【図７】
0006870871.tif 000008
【図８】
0006870871.tif 000009
【図９】
0006870871.tif 000010
【図１０】
0006870871.tif 000011
【図１１】
0006870871.tif 000012
【図１２】
0006870871.tif 000013
【図１３】
0006870871.tif 000014
【図１４】
0006870871.tif 000015
【図１５】
0006870871.tif 000016
【図１６】
0006870871.tif 000017